(57)【要約】【課題】  一台の携帯電話において通話モード変更を可能とし、ユーザの利便性の向上を図ると共に、利用状況に応じて会社や個人などに対して適切に通話料の課金を実現する。【解決手段】  ネットワークを介してデータ通信可能な携帯端末１と、当該携帯端末にネットワークを介して接続された通話モード管理サーバ２と、を備え、携帯端末１が、通話モードを指定する通話モード指定情報を通話モード管理サーバ２に送信する通話モード指定情報送信機能を備えると共に、通話モード管理サーバ２が、携帯端末１から送信された通話モード指定情報を受信して、当該通話モード指定情報に基づいて携帯端末における通話モードのログ情報を記憶する通話モードログ記憶機能を備えた。【選択図】図１
2006025113.tif 000002
【特許請求の範囲】
【請求項１】
ネットワークを介してデータ通信可能な携帯端末と、当該携帯端末にネットワークを介して接続された通信モード管理サーバと、を備え、
前記携帯端末が、通信モードを指定する通信モード指定情報を前記通信モード管理サーバに送信する通信モード指定情報送信機能を備えると共に、
前記通信モード管理サーバが、前記携帯端末から送信された通信モード指定情報を受信して、当該通信モード指定情報に基づいて前記携帯端末における通信モードのログ情報を記憶する通信モードログ記憶機能を備えた、ことを特徴とする通信モード管理システム。
【請求項２】
ネットワークを介してデータ通信可能な携帯端末と、当該携帯端末にネットワークを介して接続された通信モード管理サーバと、を備え、
前記携帯端末が、通信料の課金先毎に対応した通信モードを指定する通信モード指定情報を前記通信モード管理サーバに送信する通信モード指定情報送信機能を備えると共に、
前記通信モード管理サーバが、前記携帯端末から送信された通信モード指定情報を受信して、当該通信モード指定情報に基づいて前記携帯端末における通信モードのログ情報を記憶する通信モードログ記憶機能を備え、
前記通信モードのログ情報は、前記携帯端末における通信状況を表す通信ログ情報を各通信モード毎に振り分ける際に用いる情報である、ことを特徴とする通信モード管理システム。
【請求項３】
ネットワークを介してデータ通信可能な携帯端末と、当該携帯端末にネットワークを介して接続された通話モード管理サーバと、を備え、
前記携帯端末が、通話モードを指定する通話モード指定情報を前記通話モード管理サーバに送信する通話モード指定情報送信機能を備えると共に、
前記通話モード管理サーバが、前記携帯端末から送信された通話モード指定情報を受信して、当該通話モード指定情報に基づいて前記携帯端末における通話モードのログ情報を記憶する通話モードログ記憶機能を備えた、ことを特徴とする通話モード管理システム。
【請求項４】
ネットワークを介してデータ通信可能な携帯端末と、当該携帯端末にネットワークを介して接続された通話モード管理サーバと、を備え、
前記携帯端末が、通話料の課金先毎に対応した通話モードを指定する通話モード指定情報を前記通話モード管理サーバに送信する通話モード指定情報送信機能を備えると共に、
前記通話モード管理サーバが、前記携帯端末から送信された通話モード指定情報を受信して、当該通話モード指定情報に基づいて前記携帯端末における通話モードのログ情報を記憶する通話モードログ記憶機能を備え、
前記通話モードのログ情報は、前記携帯端末の通話状況を表す通話ログ情報を各通話モード毎に振り分ける際に用いる情報である、ことを特徴とする通話モード管理システム。
【請求項５】
ネットワークを介してデータ通信可能な携帯端末と、当該携帯端末にネットワークを介して接続された通話モード管理サーバと、を備え、
前記携帯端末が、通話料の課金先毎に対応した通話モードを指定する通話モード指定情報を前記通話モード管理サーバに送信する通話モード指定情報送信機能を備えると共に、
前記通話モード管理サーバが、
前記携帯端末から送信された通話モード指定情報を受信して、当該通話モード指定情報に基づいて前記携帯端末における通話モードのログ情報を記憶する通話モードログ記憶機能と、
ネットワークを介して接続された通信事業者のコンピュータから前記携帯端末の通話状況を表す通話ログ情報を取得する通話ログ情報取得機能と、
当該取得した通話ログ情報を、前記記憶した通話モードのログ情報に基づいて当該通話モード毎に振り分ける通話ログ振り分け機能と、
を備えたことを特徴とする通話モード管理システム。
【請求項６】
前記通話モード管理サーバの前記通話ログ振り分け機能にて通話モード毎に振り分けられた通話ログ情報に基づいて、前記各通話モードに対応した各課金先のうち少なくとも一つの課金先に対する通信料の算出を行う通話料算出手段を備えた、ことを特徴とする請求項５記載の通話モード管理システム。
【請求項７】
前記ネットワークに接続され、前記携帯端末を用いるユーザ固有の識別情報を登録ユーザデータとして記憶して当該携帯端末のユーザ認証を行うユーザ認証手段を備え、
前記携帯端末が、前記通話モード管理サーバにアクセスする際に前記識別情報を前記ユーザ認証手段に送信してユーザ認証を依頼するユーザ認証依頼機能を備えると共に、
前記ユーザ認証手段は、受信した前記識別情報と記憶している前記登録ユーザデータとに基づいて認証を行い、登録されているユーザが用いる前記携帯端末のみに前記通話モード管理サーバに対して前記通話モード指定情報を送信可能なようアクセスを許可するユーザ認証機能を有する、ことを特徴とする請求項３，４，５又は６記載の通話モード管理システム。
【請求項８】
前記通話モード管理サーバの通話モードログ記憶機能は、前記ユーザ認証手段にて認証したユーザの前記識別情報を通話モードに関連付けて前記通話モードのログ情報を記憶する、ことを特徴とする請求項７記載の通話モード管理システム。
【請求項９】
ネットワークを介してデータ通信可能な携帯端末に接続された通信モード管理サーバであって、
前記携帯端末から送信される当該携帯端末の通信モードを指定する通信モード指定情報を受信する通信モード指定情報受信機能と、この通信モード指定情報に基づいて前記携帯端末における通信モードのログ情報を記憶する通信モードログ記憶機能と、を備えたことを特徴とする通信モード管理サーバ。
【請求項１０】
ネットワークを介してデータ通信可能な携帯端末に接続された通信モード管理サーバであって、
前記携帯端末から送信される当該携帯端末の通信料の課金先毎に対応した通信モードを指定する通信モード指定情報を受信する通信モード指定情報受信機能と、この通信モード指定情報に基づいて前記携帯端末における通信モードのログ情報を記憶する通信モードログ記憶機能と、ネットワークを介して接続された通信事業者のコンピュータから取得した前記携帯端末の通信ログ情報を前記記憶した通信モードのログ情報に基づいて当該通信モード毎に振り分ける通話ログ振り分け機能と、を備えたことを特徴とする通信モード管理サーバ。
【請求項１１】
ネットワークを介してデータ通信可能な携帯端末に接続された通話モード管理サーバであって、
前記携帯端末から送信される当該携帯端末の通話モードを指定する通話モード指定情報を受信する通話モード指定情報受信機能と、この通話モード指定情報に基づいて前記携帯端末における通話モードのログ情報を記憶する通話モードログ記憶機能と、を備えたことを特徴とする通話モード管理サーバ。
【請求項１２】
ネットワークを介してデータ通信可能な携帯端末に接続された通話モード管理サーバであって、
前記携帯端末から送信される当該携帯端末の通話料の課金先毎に対応した通話モードを指定する通話モード指定情報を受信する通話モード指定情報受信機能と、この通話モード指定情報に基づいて前記携帯端末における通話モードのログ情報を記憶する通話モードログ記憶機能と、ネットワークを介して接続された通信事業者のコンピュータから取得した前記携帯端末の通話ログ情報を前記記憶した通話モードのログ情報に基づいて当該通話モード毎に振り分ける通話ログ振り分け機能と、を備えたことを特徴とする通話モード管理サーバ。
【請求項１３】
前記通話ログ振り分け機能にて通話モード毎に振り分けられた通話ログ情報に基づいて、前記各通話モードに対応した各課金先のうち少なくとも一つの課金先に対する通信料の算出を行う通話料算出機能を備えた、ことを特徴とする請求項１２記載の通話モード管理サーバ。
【請求項１４】
前記通話モード指定情報受信機能が前記携帯端末から受信する通話モード指定情報は、前記携帯端末の位置を表す位置情報であると共に、
前記通話モードログ記憶機能は、前記位置情報とこの位置情報に応じた予め設定された通話モードを記憶した通話モード登録情報とに基づいて、前記携帯端末の通話モードを特定してログ情報を記憶する機能を有する、
ことを特徴とする請求項１１，１２又は１３記載の通話モード管理サーバ。
【請求項１５】
前記通話モード指定情報受信機能が前記携帯端末から受信する通話モード指定情報は現在の時刻を表す時刻情報であると共に、
前記通話モードログ記憶機能は、前記時刻情報とこの時刻情報に応じた予め設定された通話モードを記憶した通話モード登録情報とに基づいて、前記携帯端末の通話モードを特定してログ情報を記憶する機能を有する、
ことを特徴とする請求項１１，１２，１３又は１４記載の通話モード管理サーバ。
【請求項１６】
前記通話モードログ記憶機能は、前記携帯端末毎に予め指定された通話モードを初期通話モードとして前記通話モードを設定して当該通話モードのログ情報に記憶する機能を有する、ことを特徴とする請求項１１，１２，１３，１４又は１５記載の通話モード管理サーバ。
【請求項１７】
前記通話モードログ記憶機能は、前記携帯端末から送信される通話モード解除指定情報に基づいて当該携帯端末の通話モードを前記初期通話モードに変更して前記通話モードのログ情報に記憶する機能を有する、ことを特徴とする請求項１６記載の通話モード管理サーバ。
【請求項１８】
前記通話モードログ記憶機能は、予め設定された時間間隔で前記携帯端末の通話モードを前記初期通話モードに変更して前記通話モードのログ情報に記憶する機能を有する、ことを特徴とする請求項１６又は１７記載の通話モード管理サーバ。
【請求項１９】
ネットワークを介してデータ通信可能な携帯端末に接続された通信モード管理サーバに、
前記携帯端末から送信される当該携帯端末の通信モードを指定する通信モード指定情報を受信する通信モード指定情報受信機能と、この通信モード指定情報に基づいて前記携帯端末における通信モードのログ情報を記憶する通信モードログ記憶機能と、を実現するための通話モード管理用プログラム。
【請求項２０】
ネットワークを介してデータ通信可能な携帯端末に接続された通信モード管理サーバに、
前記携帯端末から送信される当該携帯端末の通信料の課金先毎に対応した通信モードを指定する通信モード指定情報を受信する通信モード指定情報受信機能と、この通信モード指定情報に基づいて前記携帯端末における通信モードのログ情報を記憶する通信モードログ記憶機能と、ネットワークを介して接続された通信事業者のコンピュータから取得した前記携帯端末の通信ログ情報を前記記憶した通信モードのログ情報に基づいて当該通信モード毎に振り分ける通信ログ振り分け機能と、を実現するための通信モード管理用プログラム。
【請求項２１】
ネットワークを介してデータ通信可能な携帯端末に接続された通話モード管理サーバに、
前記携帯端末から送信される当該携帯端末の通話モードを指定する通話モード指定情報を受信する通話モード指定情報受信機能と、この通話モード指定情報に基づいて前記携帯端末における通話モードのログ情報を記憶する通話モードログ記憶機能と、を実現するための通話モード管理用プログラム。
【請求項２２】
ネットワークを介してデータ通信可能な携帯端末に接続された通話モード管理サーバに、
前記携帯端末から送信される当該携帯端末通話料の課金先毎に対応した通話モードを指定する通話モード指定情報を受信する通話モード指定情報受信機能と、この通話モード指定情報に基づいて前記携帯端末における通話モードのログ情報を記憶する通話モードログ記憶機能と、ネットワークを介して接続された通信事業者のコンピュータから取得した前記携帯端末の通話ログ情報を前記記憶した通話モードのログ情報に基づいて当該通話モード毎に振り分ける通話ログ振り分け機能と、を実現するための通話モード管理用プログラム。
【請求項２３】
ネットワークを介してデータ通信可能な携帯端末であって、
当該携帯端末の通信モードを指定する通信モード指定情報を、当該携帯端末にネットワークを介して接続された通信モード管理サーバに送信する通信モード指定情報送信機能を備え、
この送信した通信モード指定情報に基づいて前記通信モード管理サーバにて当該携帯端末における通信モードのログ情報が記憶される、
ことを特徴とする携帯端末。
【請求項２４】
ネットワークを介してデータ通信可能な携帯端末であって、
当該携帯端末の課金先毎に対応した通信モードを指定する通信モード指定情報を、当該携帯端末にネットワークを介して接続された通信モード管理サーバに送信する通信モード指定情報送信機能を備え、
この送信した通信モード指定情報に基づいて前記通信モード管理サーバにて当該携帯端末における通信モードのログ情報が記憶されると共に、この通信モードのログ情報に基づいて前記通信モード管理サーバにて携帯端末の通信状況を表す通信ログ情報が各通信モード毎に振り分けられる、ことを特徴とする携帯端末。
【請求項２５】
ネットワークを介してデータ通信可能な携帯端末であって、
当該携帯端末の通話モードを指定する通話モード指定情報を、当該携帯端末にネットワークを介して接続された通話モード管理サーバに送信する通話モード指定情報送信機能を備え、
この送信した通話モード指定情報に基づいて前記通話モード管理サーバにて当該携帯端末における通話モードのログ情報が記憶される、
ことを特徴とする携帯端末。
【請求項２６】
ネットワークを介してデータ通信可能な携帯端末であって、
当該携帯端末の課金先毎に対応した通話モードを指定する通話モード指定情報を、当該携帯端末にネットワークを介して接続された通話モード管理サーバに送信する通話モード指定情報送信機能を備え、
この送信した通話モード指定情報に基づいて前記通話モード管理サーバにて当該携帯端末における通話モードのログ情報が記憶されると共に、この通話モードのログ情報に基づいて前記通話モード管理サーバにて携帯端末の通話状況を表す通話ログ情報が各通話モード毎に振り分けられる、ことを特徴とする携帯端末。
【請求項２７】
携帯端末自体の位置を表す位置情報を検出する位置情報検出手段を備えると共に、
前記通話モード指定情報送信機能は、前記位置情報検出手段にて検出した位置情報を前記通話モード指定情報として前記通話モード管理サーバに送信する機能を有し、
この送信された位置情報に基づいて、前記通話モード管理サーバにて通話モードが特定され当該通話モードのログ情報が記憶される、ことを特徴とする請求項２５又は２６記載の携帯端末。
【請求項２８】
現在の時刻を表す時刻情報を検出する時刻情報検出手段を備えると共に、
前記通話モード指定情報送信機能は、前記時刻情報検出手段にて検出した時刻情報を前記通話モード指定情報として前記通話モード管理サーバに送信する機能を有し、
この送信された時刻情報に基づいて、前記通話モード管理サーバにて通話モードが特定され当該通話モードのログ情報が記憶される、ことを特徴とする請求項２５，２６又は２７記載の携帯端末。
【請求項２９】
初期通話モードとしての特定の通話モードが、携帯端末毎に予め前記通話モード管理サーバに設定されており、
当該通話モードを初期通話モードに変更するよう指定する通話モード解除指定情報を前記通話モード管理サーバに送信する通話モード解除指令機能を備えた、ことを特徴とする請求項２５，２６，２７又は２８記載の携帯端末。
【請求項３０】
前記通話モード解除指令機能は、携帯端末にて通話が終了する毎に作動する、ことを特徴とする請求項２９記載の携帯端末。
【請求項３１】
前記通話モード解除指令機能は、一定の時間が経過する毎に作動する、ことを特徴とする請求項２９記載の携帯端末。
【請求項３２】
ネットワークを介してデータ通信可能な携帯端末に、
当該携帯端末の課金先毎に対応した通信モードを指定する通信モード指定情報を、当該携帯端末にネットワークを介して接続された通信モード管理サーバに送信する通信モード指定情報送信機能を実現するプログラムであり、
この送信した通信モード指定情報に基づいて前記通信モード管理サーバにて当該携帯端末における通信モードのログ情報が記憶されると共に、この通信モードのログ情報に基づいて前記通信モード管理サーバにて携帯端末の通話状況を表す通信ログ情報が各通信モード毎に振り分けられる、
ことを特徴とする通信モード管理用プログラム。
【請求項３３】
ネットワークを介してデータ通信可能な携帯端末に、
当該携帯端末の課金先毎に対応した通話モードを指定する通話モード指定情報を、当該携帯端末にネットワークを介して接続された通話モード管理サーバに送信する通話モード指定情報送信機能を実現するプログラムであり、
この送信した通話モード指定情報に基づいて前記通話モード管理サーバにて当該携帯端末における通話モードのログ情報が記憶されると共に、この通話モードのログ情報に基づいて前記通話モード管理サーバにて携帯端末の通話状況を表す通話ログ情報が各通話モード毎に振り分けられる、
ことを特徴とする通話モード管理用プログラム。
【請求項３４】
ネットワークを介してデータ通信可能な携帯端末と、当該携帯端末にネットワークを介して接続された通信モード管理サーバと、を用いて、前記携帯端末における通信モードの管理を行う方法であって、
前記携帯端末が、通信モードを指定する通信モード指定情報を前記通信モード管理サーバに送信する通信モード指定情報送信工程を有すると共に、
前記通信モード管理サーバが、前記携帯端末から送信された通信モード指定情報を受信して、当該通信モード指定情報に基づいて前記携帯端末における通信モードのログ情報を記憶する通信モードログ記憶工程を有する、ことを特徴とする通信モード管理方法。
【請求項３５】
ネットワークを介してデータ通信可能な携帯端末と、当該携帯端末にネットワークを介して接続された通信モード管理サーバと、を用いて、前記携帯端末における通信モードの管理を行う方法であって、
前記携帯端末が、通信料の課金先毎に対応した通信モードを指定する通信モード指定情報を前記通信モード管理サーバに送信する通信モード指定情報送信工程を有すると共に、
前記通信モード管理サーバが、前記携帯端末から送信された通信モード指定情報を受信して当該通信モード指定情報に基づいて前記携帯端末における通信モードのログ情報を記憶する通信モードログ記憶工程と、ネットワークを介して接続された通信事業者のコンピュータから前記携帯端末の通信状況を表す通信ログ情報を取得する通信ログ情報取得工程と、当該取得した通信ログ情報を前記記憶した通信モードのログ情報に基づいて当該通信モード毎に振り分ける通信ログ振り分け工程と、を有する、ことを特徴とする通信モード管理方法。
【請求項３６】
ネットワークを介してデータ通信可能な携帯端末と、当該携帯端末にネットワークを介して接続された通話モード管理サーバと、を用いて、前記携帯端末における通話モードの管理を行う方法であって、
前記携帯端末が、通話モードを指定する通話モード指定情報を前記通話モード管理サーバに送信する通話モード指定情報送信工程を有すると共に、
前記通話モード管理サーバが、前記携帯端末から送信された通話モード指定情報を受信して、当該通話モード指定情報に基づいて前記携帯端末における通話モードのログ情報を記憶する通話モードログ記憶工程を有する、ことを特徴とする通話モード管理方法。
【請求項３７】
ネットワークを介してデータ通信可能な携帯端末と、当該携帯端末にネットワークを介して接続された通話モード管理サーバと、を用いて、前記携帯端末における通話モードの管理を行う方法であって、
前記携帯端末が、通話料の課金先毎に対応した通話モードを指定する通話モード指定情報を前記通話モード管理サーバに送信する通話モード指定情報送信工程を有すると共に、
前記通話モード管理サーバが、前記携帯端末から送信された通話モード指定情報を受信して当該通話モード指定情報に基づいて前記携帯端末における通話モードのログ情報を記憶する通話モードログ記憶工程と、ネットワークを介して接続された通信事業者のコンピュータから前記携帯端末の通話状況を表す通話ログ情報を取得する通話ログ情報取得工程と、当該取得した通話ログ情報を前記記憶した通話モードのログ情報に基づいて当該通話モード毎に振り分ける通話ログ振り分け工程と、を有する、ことを特徴とする通話モード管理方法。
【発明の詳細な説明】
【技術分野】
【０００１】
本発明は、携帯端末の通信モードの設定状態を管理するシステムにかかり、特に、私用や業務用といた通信モードの設定状態を管理するシステムに関する。
【背景技術】
【０００２】
近年、携帯電話が普及し、所持率が高くなる一方である。そして、その利便性、及び、通話料の低廉化から、個人の携帯電話であっても仕事中に業務用として使用する機会も多い。また、その一方で、会社側が社員に携帯電話を貸与するケースも増加し、その際の通話料は会社側が負担している。
【０００３】
【特許文献１】特開２００４−１５３４５５号公報
【発明の開示】
【発明が解決しようとする課題】
【０００４】
しかしながら、上述したように、携帯電話の利用において公私混同が生じ、個人で所有している携帯電話を業務用として使用した場合には、会社の社員が不必要に通話料を負担するという問題が生じ、その通話料分を後に会社側に請求するにしても、通話料の特定が困難であると共に、請求の手間が生じる。逆に、会社側が社員に携帯電話を貸与し、その通話料は会社側が負担するよう規定している場合には、社員が個人的に通話を行った場合には、それにかかる通話料も会社側が負担することとなり、会社に不合理であり、社員が多くなればなるほど通話料の負担が増大する、という問題も生じていた。なお、上記通話料に、携帯電話によるデータ通信料も加算され、さらに負担が増大しうる。
【０００５】
また、会社から貸与された携帯電話と個人的に携帯電話とをそれぞれ所有している社員は、それぞれを通話先に応じて、すなわち、業務用、私用に応じて携帯電話を使い分ける必要があり、外出時には常に２台の携帯電話を所持する煩わしさが生じると共に、使い分けるという手間が生じる。そして、携帯電話を２台所持するという上記問題点を解消するために、近年では、社内では社内通信網を用いた社内通話を実現できると共に、外出先では携帯電話網を用いた通話が可能な携帯電話が開発されているものの、結局、その一台を社員が外出先で利用する際には、上述したように私的利用の通話料をも会社が負担する、という問題がより一層顕在化する。
【０００６】
ここで、上記問題点を解決する技術として、上記特許文献１に、予め私用あるいは業務用の通話先番号を通信管理サーバ登録しておき、携帯電話にて実際に発信した通信先毎に通信量を集計し、これにより通話料の課金を振り分ける、という技術が開示されている。しかし、かかる技術では予め登録された通信先についてのみ通話料の振り分けが可能であるにすぎず、新たな通信先に対しては対応することができない、という問題が生じる。さらに、同じ通信先であっても、業務用、私的用の両方で通話する場合があり、かかる場合には課金先を適切に振り分けることができない、という問題が生じる。
【０００７】
このため、本発明では上記従来例の有する不都合を改善し、特に、一台の携帯電話において通信／通話モードを変更することを可能とし、ユーザの利便性の向上を図ると共に、利用状況に応じて会社や個人などに対して適切に通信料／通話料の課金を実現する、ことをその目的とする。
【課題を解決するための手段】
【０００８】
そこで、本発明である通話（通信）モード管理システムは、
ネットワークを介してデータ通信可能な携帯端末と、当該携帯端末にネットワークを介して接続された通話（通信）モード管理サーバと、を備え、
携帯端末が、通話（通信）モードを指定する通話（通信）モード指定情報を通話（通信）モード管理サーバに送信する通話（通信）モード指定情報送信機能を備えると共に、
通話（通信）モード管理サーバが、携帯端末から送信された通話（通信）モード指定情報を受信して、当該通話（通信）モード指定情報に基づいて携帯端末における通話（通信）モードのログ情報を記憶する通話（通信）モードログ記憶機能を備えた、という構成を採っている。
【０００９】
また、通話（通信）モード管理システムは、
ネットワークを介してデータ通信可能な携帯端末と、当該携帯端末にネットワークを介して接続された通話（通信）モード管理サーバと、を備え、
携帯端末が、通話料（通信料）の課金先毎に対応した通話モードを指定する通話（通信）モード指定情報を通話（通信）モード管理サーバに送信する通話（通信）モード指定情報送信機能を備えると共に、
通話（通信）モード管理サーバが、携帯端末から送信された通話（通信）モード指定情報を受信して、当該通話（通信）モード指定情報に基づいて携帯端末における通話（通信）モードのログ情報を記憶する通話（通信）モードログ記憶機能を備え、
通話（通信）モードのログ情報は、携帯端末の通話（通信）状況を表す通話（通信）ログ情報を各通話（通信）モード毎に振り分ける際に用いる情報である、という構成を採っている。
【００１０】
さらに、通話（通信）モード管理システムは、
ネットワークを介してデータ通信可能な携帯端末と、当該携帯端末にネットワークを介して接続された通話（通信）モード管理サーバと、を備え、
携帯端末が、通話料（通信料）の課金先の相違に対応した通話（通信）モードを指定する通話（通信）モード指定情報を通話（通信）モード管理サーバに送信する通話（通信）モード指定情報送信機能を備えると共に、
通話（通信）モード管理サーバが、
携帯端末から送信された通話（通信）モード指定情報を受信して、当該通話（通信）モード指定情報に基づいて携帯端末における通話（通信）モードのログ情報を記憶する通話（通信）モードログ記憶機能と、
ネットワークを介して接続された通信事業者のコンピュータから携帯端末の通話（通信）状況を表す通話（通信）ログ情報を取得する通話（通信）ログ情報取得機能と、
当該取得した通話（通信）ログ情報を、記憶した通話（通信）モードのログ情報に基づいて当該通話（通信）モード毎に振り分ける通話（通信）ログ振り分け機能と、を備えた、という構成を採っている。
【００１１】
そして、上記構成に加えて、通話（通信）モード管理サーバの通話（通信）ログ振り分け機能にて通話（通信）モード毎に振り分けられた通話（通信）ログ情報に基づいて、各通話（通信）モードに対応した各課金先のうち少なくとも一つの課金先に対する通信料の算出を行う通話料算出手段（通信料算出手段）を備えた、という構成にするとよい。
【００１２】
なお、上記構成及び以下に説明する構成においては、主に携帯電話における通話状況を芦原巣通話ログを通話モードの切替に応じて振り分ける構成を説明するが、上記記載の括弧書きにて示すように、携帯電話を用いたデータ通信時に課金される通信料にも対応可能である。すなわち、ユーザが設定する通信モードに応じて、携帯端末を用いたデータ通信ログを振り分け、各モード毎に通信料の算出を行う構成にしてもよい。
【００１３】
上記構成にすることにより、まず、携帯電話などの携帯端末のユーザは、通話先／通信先や時間帯に応じて通話モード（通信モード）を例えば業務用あるいは私用などに設定すべく、携帯端末から通話モード（通信モード）を指定する情報を通話モード管理サーバ（通信モード管理サーバ）に送信する。すると、かかる指定情報に応じて、通話モード管理サーバでは携帯端末の通話モード（通信モード）が設定され、その設定状況を表すログ情報が記憶される。そして、この通話モードのログ情報に基づいて、通信事業者などから取得した携帯端末における通話ログ情報（通信ログ情報）を各通話モード毎に振り分けることで、ユーザの通話状況（通信状況）を各モードである業務用や私用などに区別して認識することができる。そして、この振り分けた通話ログ情報（通信ログ情報）に基づいて、手動あるいはコンピュータにて自動的に、通話モード毎に対応した課金先毎の通話料（通信料）の算出を行うことができる。
【００１４】
これにより、一台の携帯電話にて、ユーザの利用目的や時間帯などに応じて通話モード（通信モード）を切り替えるため、ユーザの意思で会社や個人など通話料（通信料）の課金先を変更することができる。従って、ユーザの利便性の向上を図ると共に、携帯端末の通話料に関して公私混同を防止することにより双方にとって適切な通話料の課金を実現することができ、逆に、ユーザや企業における不適切な通話料の負担の抑制を図ることができる。
【００１５】
また、上記構成に加え、
ネットワークに接続され、携帯端末を用いるユーザ固有の識別情報を登録ユーザデータとして記憶して当該携帯端末のユーザ認証を行うユーザ認証手段を備え、
携帯端末が、通話モード管理サーバにアクセスする際に識別情報をユーザ認証手段に送信してユーザ認証を依頼するユーザ認証依頼機能を備えると共に、
ユーザ認証手段は、受信した識別情報と記憶している登録ユーザデータとに基づいて認証を行い、登録されているユーザが用いる携帯端末のみに通話モード管理サーバに対して通話モード指定情報を送信可能なようアクセスを許可するユーザ認証機能を有する、という構成にするとよい。
【００１６】
このとき、さらに、
通話モード管理サーバの通話モードログ記憶機能は、ユーザ認証手段にて認証したユーザの識別情報を通話モードに関連付けて通話モードのログ情報を記憶する、という構成にするとよい。
【００１７】
これにより、認証されたユーザのみモード変更を行うことが許可されるため、勝手に通話モードが変更されるということを防止することができ、通話料の課金に関するセキュリティの向上を図ることができる。また、携帯端末の所有者と異なるユーザがモード変更を行った場合でも、認証されることによりログ情報にかかるユーザの識別情報が関連付けられて記憶されるため、後に通話料を実際に利用したユーザに課金することも可能である。
【００１８】
また、本発明では、上記システムを構成する通話（通信）モード管理サーバあるいは携帯端末、これらの動作を制御するプログラム、上記システムを用いた通話（通信）モード管理方法、をも提供している。以下、これらの構成を説明する。
【００１９】
まず、通話モード管理サーバは、
ネットワークを介してデータ通信可能な携帯端末に接続された通話モード管理サーバであって、
携帯端末から送信される当該携帯端末の通話モードを指定する通話モード指定情報を受信する通話モード指定情報受信機能と、この通話モード指定情報に基づいて携帯端末における通話モードのログ情報を記憶する通話モードログ記憶機能と、を備えた、という構成を採っている。
【００２０】
また、異なる構成の通話モード管理サーバは、
ネットワークを介してデータ通信可能な携帯端末に接続された通話モード管理サーバであって、
携帯端末から送信される当該携帯端末通話料の課金先毎に対応した通話モードを指定する通話モード指定情報を受信する通話モード指定情報受信機能と、この通話モード指定情報に基づいて携帯端末における通話モードのログ情報を記憶する通話モードログ記憶機能と、ネットワークを介して接続された通信事業者のコンピュータから取得した携帯端末の通話ログ情報を記憶した通話モードのログ情報に基づいて当該通話モード毎に振り分ける通話ログ振り分け機能と、を備えた、という構成を採っている。
【００２１】
そして、上記構成に加え、
通話ログ振り分け機能にて通話モード毎に振り分けられた通話ログ情報に基づいて、各通話モードに対応した各課金先のうち少なくとも一つの課金先に対する通信料の算出を行う通話料算出機能を備えた、という構成を採っている。
【００２２】
さらに、通話モード管理サーバは、上記構成に加え、
通話モード指定情報受信機能が携帯端末から受信する通話モード指定情報は、携帯端末の位置を表す位置情報であると共に、
通話モードログ記憶機能は、位置情報とこの位置情報に応じた予め設定された通話モードを記憶した通話モード登録情報とに基づいて、携帯端末の通話モードを特定してログ情報を記憶する機能を有する、という構成を採っている。
【００２３】
また、同様に、
通話モード指定情報受信機能が携帯端末から受信する通話モード指定情報は現在の時刻を表す時刻情報であると共に、
通話モードログ記憶機能は、時刻情報とこの時刻情報に応じた予め設定された通話モードを記憶した通話モード登録情報とに基づいて、携帯端末の通話モードを特定してログ情報を記憶する機能を有する、という構成を採っている。
【００２４】
上記構成にすることにより、上述した通話モード管理システムと同様に作用すると共に、特に、以下のように作用する。まず、携帯端末から通話モードを指定する情報として、当該携帯端末の現在の位置情報や時刻情報が通話モード管理サーバに送信される。そして、サーバ側では、携帯端末の位置や使用する時間に応じた通話モードが予め定められて記憶されており、これを参照して受信した位置情報や時刻情報に対応した通話モードを特定してログ情報に記憶する。これにより、携帯端末によるモード変更がほぼ自動的に行われ、かつ、適切なモードに設定されるため、当該ユーザの利便性の向上を図ることができる。
【００２５】
また、上記通話モードログ記憶機能は、携帯端末毎に予め指定された通話モードを初期通話モードとして通話モードを設定して当該通話モードのログ情報に記憶する機能を有する、という構成にすると望ましい。そして、このとき、通話モードログ記憶機能は、携帯端末から送信される通話モード解除指定情報に基づいて当該携帯端末の通話モードを初期通話モードに変更して通話モードのログ情報に記憶する機能を有する、という構成にするとよい。同様に、通話モードログ記憶機能は、予め設定された時間間隔で携帯端末の通話モードを初期通話モードに変更して通話モードのログ情報に記憶する機能を有する、という構成にしてもよい。
【００２６】
これにより、初期通話モードが予め設定されており、モード変更がなされない限り、通話モードは常に初期の状態に設定された状態になる。そして、必要な場合に、モード変更を行って通話を行うことができ、さらに、通話終了後などにユーザの意思により通話モードを初期状態に戻すことも可能である。また、一定の時間間隔で、自動的に初期状態に通話モードを戻すことも可能である。これにより、ユーザは通話モードの設定に常に注意を配る必要がないため、当該ユーザの利便性の向上を図ることができる。
【００２７】
ここで、上述した通話モード管理用プログラムは、上記通話モード管理サーバに組み込まれることで、当該通話モード管理サーバに備えられた上記諸機能を実現するためのプログラムである。
【００２８】
なお、上述した通話モード管理サーバ、及び、通話モード管理用プログラムは、通信モード管理サーバ、通信モード管理用プログラムとして、携帯端末のデータ通信時のモード（通信モード）を管理し、各モードに応じてデータ通信ログを振り分けるよう作動してもよい。
【００２９】
また、上記携帯端末は、
ネットワークを介してデータ通信可能な携帯端末であって、
当該携帯端末の通話モードを指定する通話モード指定情報を、当該携帯端末にネットワークを介して接続された通話モード管理サーバに送信する通話モード指定情報送信機能を備え、
この送信した通話モード指定情報に基づいて通話モード管理サーバにて当該携帯端末における通話モードのログ情報が記憶される、という構成と採っている。
【００３０】
また、異なる構成の携帯端末は、
ネットワークを介してデータ通信可能な携帯端末であって、
当該携帯端末の課金先毎に対応した通話モードを指定する通話モード指定情報を、当該携帯端末にネットワークを介して接続された通話モード管理サーバに送信する通話モード指定情報送信機能を備え、
この送信した通話モード指定情報に基づいて通話モード管理サーバにて当該携帯端末における通話モードのログ情報が記憶されると共に、この通話モードのログ情報に基づいて通話モード管理サーバにて携帯端末の通話状況を表す通話ログ情報が各通話モード毎に振り分けが行われる、という構成を採っている。
【００３１】
そして、上記構成に加えて、
携帯端末自体の位置を表す位置情報を検出する位置情報検出手段を備えると共に、
通話モード指定情報送信機能は、位置情報検出手段にて検出した位置情報を通話モード指定情報として通話モード管理サーバに送信する機能を有し、
この送信された位置情報に基づいて、通話モード管理サーバにて通話モードが特定され当該通話モードのログ情報が記憶される、という構成を採っている。
【００３２】
同様に、
現在の時刻を表す時刻情報を検出する時刻情報検出手段を備えると共に、
通話モード指定情報送信機能は、時刻情報検出手段にて検出した時刻情報を通話モード指定情報として通話モード管理サーバに送信する機能を有し、
この送信された時刻情報に基づいて、通話モード管理サーバにて通話モードが特定され当該通話モードのログ情報が記憶される、という構成を採っている。
【００３３】
また、上記構成に加えて、
初期通話モードとしての特定の通話モードが、携帯端末毎に予め通話モード管理サーバに設定されており、
当該通話モードを初期通話モードに変更するよう指定する通話モード解除指定情報を通話モード管理サーバに送信する通話モード解除指令機能を備えた、という構成を採っている。このとき、前記通話モード解除指令機能は、携帯端末にて通話が終了する毎に作動する、という構成にしてもよく、一定の時間が経過する毎に作動する、という構成にしてもよい。
【００３４】
ここで、上述した通話モード管理用プログラムは、上記携帯端末に組み込まれることで、当該携帯端末に備えられた上記諸機能を実現するためのプログラムである。
【００３５】
なお、上述した携帯端末、及び、通話モード管理用プログラムは、携帯端末のデータ通信時のモード（通信モード）を管理し、各モードに応じてデータ通信ログを振り分けるよう作動してもよい。
【００３６】
また、上記通話モード管理方法は、
ネットワークを介してデータ通信可能な携帯端末と、当該携帯端末にネットワークを介して接続された通話モード管理サーバと、を用いて、携帯端末における通話モードの管理を行う方法であって、
携帯端末が、通話モードを指定する通話モード指定情報を通話モード管理サーバに送信する通話モード指定情報送信工程を有すると共に、
通話モード管理サーバが、携帯端末から送信された通話モード指定情報を受信して、当該通話モード指定情報に基づいて携帯端末における通話モードのログ情報を記憶する通話モードログ記憶工程を有する、という構成を採っている。
【００３７】
また、別の構成の通話モード管理方法は、
ネットワークを介してデータ通信可能な携帯端末と、当該携帯端末にネットワークを介して接続された通話モード管理サーバと、を用いて、携帯端末における通話モードの管理を行う方法であって、
携帯端末が、通話料の課金先の相違に対応した通話モードを指定する通話モード指定情報を通話モード管理サーバに送信する通話モード指定情報送信工程を有すると共に、
通話モード管理サーバが、携帯端末から送信された通話モード指定情報を受信して当該通話モード指定情報に基づいて携帯端末における通話モードのログ情報を記憶する通話モードログ記憶工程と、ネットワークを介して接続された通信事業者のコンピュータから携帯端末の通話状況を表す通話ログ情報を取得する通話ログ情報取得工程と、当該取得した通話ログ情報を記憶した通話モードのログ情報に基づいて当該通話モード毎に振り分ける通話ログ振り分け工程と、を有する、という構成を採っている。
【００３８】
上記通話モード管理方法も、通信モード管理方法として、上述同様に、携帯端末のデータ通信時のモード（通信モード）を管理し、各モードに応じてデータ通信ログを振り分けるよう作動してもよい。
【００３９】
このように構成することにより、上述した通話モード管理システム同様に作用し、上記目的を達成することができる。
【発明の効果】
【００４０】
本発明は、以上のように構成され機能するので、これによると、一台の携帯端末にてユーザの利用目的等に応じて通話モードを変更し、当該通話モード状況のログ情報を記憶しておくことで、後に携帯端末を利用した際の通話ログ（通信ログ）を通話モードに応じて振り分けることができ、これに基づいて通話料の課金先を変更することができるため、ユーザの利便性の向上を図ると共に、携帯端末の通話料に関して適切な課金を実現することができる、という従来にない優れた効果を有する。
【発明を実施するための最良の形態】
【００４１】
本発明は、携帯電話のユーザが、業務用、私用などに区別される通信モードを、利用状況に応じて切り替え、その切替状況をログ情報として記憶管理する、という点に特徴を有する。そして、この通話モードのログ情報と通話状況や通信状況を表す通信ログ情報とをつけ合わせることにより、実際に行ったデータ通信／通話が業務用か私用であるかを区別することができ、これに基づいて、課金先を変更することも可能である。以下、上記特徴を実現するための構成について、各実施例を参照して説明する。なお、以下の実施例では、特に、通話料の課金先を変更する例を説明するが、携帯電話におけるデータ通信時にかかるパケット代などのデータ通信料の課金先をモードの切替にて変更するよう利用してもよい。
【実施例１】
【００４２】
本発明の第１の実施例を、図１乃至図７を参照して説明する。図１は、通話モード管理システムの全体構成を示すブロック図である。図２は、携帯電話の構成を示す機能ブロック図である。図３は、通話モード管理サーバの構成を示す機能ブロック図である。図４は、本システムで記憶される各ログ情報の一例を示す説明図である。図５乃至図７は、システムにおける動作を示す説明図である。
【００４３】
＜全体構成＞
本発明である通話モード管理システムは、図１に示すように、ネットワークＮを介してデータ通信可能な携帯電話１（携帯端末）と、当該携帯電話１にネットワークＮを介して接続された通話モード管理サーバ２と、ネットワークＮに接続され携帯電話１を取り扱うユーザ固有の識別情報を登録ユーザデータとして記憶して当該携帯電話１のユーザ認証を行う認証サーバ３（ユーザ認証手段）と、を備えている。また、ネットワークＮには、携帯電話１の通話料の決済を電子的に行ったり、あるいは、決済状況を管理する決済サーバ４が接続されており、通話モード管理サーバ２と相互にデータ交信可能である。さらに、ネットワークＮには、携帯電話１の通話状況を表す通話ログを管理する通信事業者５の通話ログ管理サーバ５１が接続されており、通話モード管理サーバ２と相互にデータ交信可能である。
【００４４】
そして、図１に示す通話モード管理システムの動作の概略を説明すると、まず、携帯電話１がＨＴＴＰなどのプロトコルによるデータ通信にて通話モード管理サーバ２にアクセスし、通話モードの変更を指示することで、これに応じて通話モードのログ情報が記憶装置２Ｂに記憶される。一方、携帯電話１から他の携帯電話などに発信することにより通話を行うことができるが、このときの通話ログ情報が通話ログ管理サーバ５１の記憶装置５１Ｂに記憶される。なお、この通話ログ情報は、基地局５２、交換機５３を介して取得されたものであり、通常、通信事業者５にて管理される情報である。
【００４５】
そして、通話ログ情報５１Ｂを、通話モードのログ情報２Ｂに基づいて通話モード毎に区別して振り分けることで、携帯電話１における通話状況を業務用、私用、に振り分けることができる。これにより、一台の携帯電話にて業務用、私用など、種々のモードで使用することができると共に、その際の課金先も振り分けることができ、公私混同を抑制することができる。以下、各構成についてさらに詳述する。
【００４６】
＜携帯電話＞
携帯電話１は、本実施例においては、所定の会社が従業員であるユーザに貸与している携帯電話であり、当該会社の業務に関係する状況における業務用での通話はもちろんのこと、個人的な通話も可能である。なお、この携帯電話１は、通話可能であり、かつ、ネットワークを通じて他のコンピュータ（通話モード管理サーバ２）とデータ通信可能であればいかなる携帯端末でもよい。
【００４７】
図１に示すように、本実施例における携帯電話１は、一般的な演算処理装置であるＣＰＵ（１Ａ）と記憶装置であるメモリ（１Ｂ）とを備える携帯電話であり、特に、ＮＴＴドコモ社のｉモード（登録商標）や、ＫＤＤＩ社のＥＺｗｅｂ（登録商標）など、パケット網を介してインターネット上のサーバコンピュータとデータ通信を行う機能を有する。さらに、本実施例における携帯電話１は、画像を取得可能なカメラ（１Ｃ）を装備している。
【００４８】
そして、上記ＣＰＵ（１Ａ）には、予め定められた特定のプログラムが組み込まれることで、以下に示す処理部１１〜１５が構築されている。また、これに伴い、メモリ（１Ｂ）には以下に示す情報を記憶する記憶部１６が形成されている。これについて詳述する。
【００４９】
まず、ＣＰＵ（１Ａ）には、カメラ（１Ｃ）の動作を制御して、当該カメラ（１Ｃ）にて撮影した画像を取得する画像取得部１１が構築されている。そして、本実施例では、特に、カメラ（１Ｃ）にて取得する画像は、ユーザ固有の識別情報が含まれた二次元バーコードであるＱＲコード（Ｔ）であり、このＱＲコードは例えば、社員証など個々のユーザが個別に所持するものに印刷されている。そして、カメラ撮影されたＱＲコード（Ｔ）は、後述するように、通話モード管理サーバ２にアクセスする際のユーザ認証に用いられる。なお、後述するように、ユーザ認証に用いるユーザ固有の識別情報は、上記ＱＲコードに限定されない。また、ユーザ固有の識別情報でなく、携帯電話１（携帯端末）固有の識別情報を認証に用いてもよい。
【００５０】
また、ＣＰＵ（１Ａ）には、ネットワークＮ上の通話モード管理サーバ２にアクセスする際にユーザ認証を依頼するユーザ認証依頼部１２（ユーザ認証依頼機能）が構築されている。このユーザ認証依頼部１２は、上述した画像取得部１１からカメラ（１Ｃ）にて取得したＱＲコードの画像データを受け取り、当該ＱＲコードの画像データを認証サーバ３に対して送信してユーザ認証を依頼する。なお、このユーザ認証依頼部１２による依頼によってユーザ認証が成功すると、携帯電話１は通話モード管理サーバ２にアクセス可能となり、当該通話モード管理サーバ２に自動的に接続される。すなわち、通話モード管理サーバ２にアクセスしようとすると、自動的に認証サーバ３に接続され、ＱＲコードに基づいてユーザ認証が行われる。なお、通話モード管理サーバ２すなわち認証サーバ３への接続は、予めメモリ（１Ｂ）に記憶されたモード変更データ記憶部１６に格納されているアドレスデータに基づいて行われる。ここで、モード変更データ記憶部１６には、携帯電話１にて通話モードを変更しようとする際に用いる情報が記憶されており、アクセス先のアドレスデータはその一例である。
【００５１】
そして、認証サーバ３による認証後には通話モード管理サーバ２に接続されるが、当該通話モード管理サーバ２からは通話モードを変更するための操作画面データが携帯電話１に送信される。これに応じて、受信した操作画面を表示する機能を有するモード変更画面制御部１３が、携帯電話１のＣＰＵには構築されている。このモード変更画面制御部１３により、通話モードを選択する画面が表示され、例えば、「業務用」と「私用」とを選択する画面が表示される。ここで、「業務用」とは、かかる通話モード時における通話料は携帯電話１を貸与している会社が負担し、「私用」とは、かかる通話モード時における通話料はユーザ自身が負担する、という通話モードを洗わしており、課金先毎に対応した通話モードが予め設定されている。なお、通話モードはさらに複数の種類が設定されており、ユーザはそれらを選択可能なよう構成されていてもよい。
【００５２】
そして、上記モード変更画面表示に対して、ユーザは携帯電話１を操作していずれか１つの通話モードを選択し、所定のボタンを押すことによって通話モードを指定する指示を入力する。すると、かかる指示がモード変更画面制御部１３にて受け付けられる。そして、この指示に応じて、通話モードを指定する通話モード指定情報が携帯電話１から通話モード管理サーバ２に送信される。すなわち、携帯電話１のＣＰＵ（１Ａ）には上記機能を有するモード指定送信部１４（通話モード指定情報送信機能）が構築されている。
【００５３】
ここで、上記通話モードには、予め初期通話モードが設定されており、例えば、「業務用」の通話モードが初期通話モードとして設定されている。従って、上述したように、ユーザがモード変更設定操作を行わない場合には、常に初期通話モードに設定されたままとなる。一方、一度「私用」に設定されると、モードを元に戻す操作をしなければ「私用」の通話モードのままに設定された状態になる。そこで、携帯電話１のＣＰＵ（１Ａ）には、ユーザから通話モードを初期通話モードに変更するよう指定する操作を受け付けると、かかる指示内容を表す通話モード解除指定情報を通話モード管理サーバ２に送信するよう上記モード指定送信部１４に指示する解除指令部１５が構築されている。そして、これを受けたモード指定送信部１４は、通話モードを元に戻す指令である通話モード解除指定情報を通話モード管理サーバ２に送信するよう作動する。すなわち、解除指令部１５とモード指定送信部１４とが通話モード解除指令機能として作動することとなる。
【００５４】
このようにして携帯電話１から送信された通話モード指定情報、及び、通話モード解除指定情報は、通話モード管理サーバ２にて受信され、これに基づいて通話モードの変更が行われ、通話モードの状態がログ情報として記憶されて管理される。
【００５５】
＜通話モード管理サーバ＞
次に、通話モード管理サーバ２について、主に図３を参照して説明する。図３に示すように、通話モード管理サーバ２は、演算装置であるＣＰＵ（２Ａ）と、記憶装置であるメモリ（２Ｂ）とが備えられた一般的なサーバコンピュータであり、ネットワークＮを介して、ユーザ認証が行われた携帯電話１や他のネットワーク上のサーバコンピュータと相互にデータ通信可能である。
【００５６】
そして、上記ＣＰＵ（２Ａ）には、予め定められた特定のプログラムが組み込まれることで、以下に示す処理部２１〜２４が構築されている。また、これに伴い、メモリ２Ｂには以下に示すデータを記憶する記憶部２６〜２７が形成されている。これについて詳述する。
【００５７】
まず、ＣＰＵ（２Ａ）には、上述したように、携帯電話１のモード指定送信部１４から送信された通話モード指定情報を受信するモード指定受信部２１（通話モード指定情報受信機能）が構築されている。なお、このモード指定受信部２１は、同じく携帯電話１のモード指定送信部１４から送信された通話モード解除指定情報をも受信する機能を有する。
【００５８】
また、ＣＰＵ（２Ａ）には、上記モード指定受信部２１にて受信した情報を受け取って、かかる情報に基づいて携帯電話１における通話モードのログ情報を記憶するモードログ記憶処理部２２（通話モードログ記憶機能）が構築されている。なお、これに伴い、メモリ２Ｂには、通話モードのログ情報を記憶する通話モードログ記憶部２６が形成されている。そして、モードログ記憶処理部２２は、携帯電話１毎に、当該携帯電話１の通話モードが変更される度に、そのときの時刻と変更後の通話モードを記憶する。従って、携帯電話１の通話モードの変更状況が常時記憶されることとなる。さらに具体的には、モードログ記憶処理部２２は、まず携帯電話１から予め設定された初期通話モードを通話ログ情報に記憶しておく。そして、初期通話モードと異なる通話モードへの変更を指示する通話モード指定情報を受信すると、かかる情報にて指定された通話モードに変更してログ情報に記憶する。その後、通話モード解除指定情報を受信すると、初期通話モードに戻してログ情報に記憶する。
【００５９】
ここで、通話モードログ情報の一例を、図４（ａ）に示す。この図に示すように、例えば、年月日（ＤＡＴＥ）、時刻（ＴＩＭＥ）、通話モード（ＭＯＤＥ）が記憶される。詳述すると、２００４年１月１日の通話モードログは、０時０分０秒から午前８時４５分３０秒までは在宅中なので通話モード指定情報にて「私用」を指定したため、通話モードは「私用」に設定されている。その後、通話モード解除指定情報により、８時４５分３１秒から１２時０分０秒までは初期通話モードである「業務用」に設定される。このような通話モードログ情報が、記憶装置であるメモリ１Ｂに記憶されることとなる。
【００６０】
また、通話モード管理サーバ２のＣＰＵ（２Ａ）には、ネットワークＮを介して接続された通信事業者の通話ログ管理サーバ５１から携帯電話１の通話状況を表す通話ログ情報を取得する通話ログ集計部２３（通話ログ情報取得機能）が構築されている。この通話ログ集計部２３は、例えば、毎月１日というように、予め設定された時間になると作動し、通話ログ管理サーバ５１にアクセスして、特定の携帯電話１の通話ログ情報（５１Ｂ）を取得する。ここで、通話ログ情報の一例を図４（ｂ）に示す。この図に示すように、特定の携帯電話１の通話記録、具体的には、年月日（ＤＡＴＥ）、時刻（ＴＩＭＥ）、発信電話番号（ＰＨＯＮＥ  Ｎｏ．）が記録されている。
【００６１】
また、通話ログ集計部２３は、取得した通話ログ情報を、自身のメモリ（２Ｂ）に記憶されている通話モードのログ情報２６に基づいて、当該通話モード毎に振り分ける通話ログ振り分け機能を備えている。すなわち、通話ログ情報に記憶されている各通話が、「業務用」か、あるいは、「私用」か、ということを振り分ける。具体的には、各通話モードが設定された時間内に行われた通話記録を調べることで振り分ける。このように、通話モードのログ情報は、携帯電話の通話状況を表す通話ログ情報を各通話モード毎に振り分ける際に用いられる情報である。ここで、図４（ａ），（ｂ）の例によると、通話ログのうち、上から１番目及び２番目の通話ログは、通話モードが業務用に設定されている時間内での通話なので、「業務用」に振り分けられる。一方、上から３番目の通話ログは、通話モードが私用に設定されている時間内での通話なので、「私用」に振り分けられる。なお、通話ログ集計部２３は、予め定められた期間が経過する毎に作動してもよく、あるいは、手動にて作動指示があったときに作動してもよい。
【００６２】
さらに、通話モード管理サーバ２のＣＰＵ（２Ａ）には、通話モード毎に振り分けられた通話ログ情報に基づいて、各通話モードに対応した各課金先のうち少なくとも一つの課金先に対する通信料の算出を行う通話料算出部２４（通話料算出手段、通話料算出機能）が構築されている。これに伴い、通話料を算出するための基準となるデータ、例えば、「発信先及び時間帯における通話料の単価」などが記憶されている課金データ記憶部２７がメモリ２Ｂに形成されている。そして、通話料算出部２４では、通話モードが「私用」に振り分けられた通話ログだけを抽出して、当該「私用」に私用された通話料を算出する。その後、算出した通話料をネットワークＮを介して決済サーバ４に通知して、決済を行うよう指示する。なお、「業務用」の通話料に関しては、通信事業者にて算出されて、会社に対して一括に課金される。但し、「業務用」の通話料も通話料算出部２４にて算出してもよい。
【００６３】
＜認証サーバ＞
次に、認証サーバ３について説明する。認証サーバ３は、上述したように、携帯電話１からのアクセスに応じて、当該携帯電話１から送信された識別情報であるＱＲコードが登録ユーザのものであるか否かを認証する機能（ユーザ認証機能）を有するサーバコンピュータである。従って、予め登録ユーザ固有のＱＲコード（あるいは、その特徴を表すデータ）が記憶されている（図１の符号３Ｂ参照）。そして、携帯電話１から送信されたＱＲコードと登録されているデータが一致するか否かを判断し、一致する場合には、携帯電話１を通話モード管理サーバ２に接続する。これにより、ユーザ登録されているユーザが携帯電話１を用いてアクセスした場合にのみ、通話モード管理サーバ２にアクセスでき、上述したように、通話モードを変更する通話モード指定情報を送信することが可能となる。
【００６４】
ここで、上記ＱＲコードを用いたユーザ認証技術は、既に公知になっており、いわゆる当業者であれば実現することは可能であるため、その詳細な説明は省略する。
【００６５】
＜決済サーバ＞
次に、決済サーバ４について説明する。決済サーバ４は、通話モード管理サーバ２にて算出された各携帯電話１のユーザ毎の「私用」分の通話料の通知を受け、各ユーザに対して決済を要求するサーバコンピュータである。例えば、決済サーバ４に、予め各ユーザの引き落とし対象となる銀行口座やクレジットカード番号などが登録されている場合には、引き落とし処理を行う。そして、通話料明細を各ユーザの携帯電話１に送信する。あるいは、ユーザに対する請求処理の管理を行い、決済機関の従業員に対して請求書の発行指示を出す。なお、通話モード管理サーバ２が、「業務用」の通話料の算出処理を行っており、その通知を受けた場合には、企業に対する決済処理も行う。
【００６６】
＜動作＞
次に、上記構成の通話モード管理システムの動作について、図５乃至図７を参照して説明する。なお、図５は携帯電話１の動作を示すフローチャートであり、図６は通話モード管理サーバ２の動作を示すフローチャートである。図７は、システム全体の動作を示すシーケンス図である。以下、主に図７のシーケンス図に基づいて、システムの動作を説明する。
【００６７】
まず、ユーザが通話モードを変更すべく携帯電話１にて通話モード管理サーバ２にアクセスする際には、ユーザの社員証などに印刷されたＱＲコードを携帯電話１に装備されたカメラ（１Ｃ）にて撮影し（図５のステップＳ１）、このＱＲコードの画像データをアクセス要求情報と共に送信する（図７のステップＳ３１、図５のステップＳ２）。このとき、アクセス先は、予め携帯電話１のモード変更データ記憶部１６内に記憶されているアドレスデータを参照するが、かかるアドレスデータは、まずは認証サーバ３にアクセスするよう設定されている。
【００６８】
そして、アクセスを受けた認証サーバ３では、送信されたＱＲコードの画像データを解析し、これと予め登録されている登録ユーザデータとの認証を行い（図７のステップＳ３２）、認証が成功すると携帯電話１が通話モード管理サーバ２にアクセスすることを許容する（図７のステップＳ３３、図５のステップＳ３）。すなわち、携帯電話１の接続先を通話モード管理サーバ２に変更し、これにより、携帯電話１は通話モード管理サーバ２にアクセスできる（図７のステップＳ３４、図５のステップＳ４）。
【００６９】
続いて、携帯電話１からアクセスされた通話モード管理サーバ２は（図６のステップＳ２１）、携帯電話１に対して通話モード変更画面データを送信する（図７のステップＳ３５、図６のステップＳ２２）。そして、携帯電話１では、送信された通話モード変更画面をディスプレイに表示し（図７のステップＳ３６、図５のステップＳ５）、ユーザは画面上で通話モードを選択する（図５のステップＳ６）。変更する通話モードが選択されると、当該通話モードを指定する通話モード指定情報が携帯電話１から通話モード管理サーバ２に送信される（図７のステップＳ３７、図５のステップＳ７、通話モード指定情報送信工程）。
【００７０】
そして、通話モード指定情報を受信した通話モード管理サーバ２は、通話モード指定情報を調べ、携帯電話１の現在の通話モードに対して変更がある場合には（図６のステップＳ２３）、通話モードのログ情報に当該通話モードと時刻を記録する（図７のステップＳ３８，図６のステップＳ２４、通話モードログ記憶工程、図４（ａ）に示す通話モードのログ情報を参照）。なお、通話モードのログ情報、及び、以下に説明する通話ログ情報は、携帯電話１毎に記録される。そして、各ログ情報を記録するサーバ２，５１は、例えば、携帯電話１と通信を行う際に取得できる電話番号などから当該携帯電話１を識別する。
【００７１】
その後、ユーザに携帯電話１を用いて通話が開始されると（図５のステップＳ８）、通話ログ情報が通信事業者５にて通話ログ管理サーバ５１に記録される（図４（ｂ）に示す通話ログ情報を参照）。また、通話終了時も同様に通話ログ情報に記録される。そして、ユーザが通話終了時に、携帯電話１にて上述同様に通話モード管理サーバ２にアクセスし、通話モードを変更すべき操作を行うと（図５のステップＳ１０）、上述したように通話モード指定情報が通話モード管理サーバ２に送信される（図５のステップＳ１１）。これに応じて通話モード管理サーバ２では、通話モードのログ情報を記録する。
【００７２】
また、通話モード管理サーバ２では、一定期間が経過するか否かが監視され（図６のステップＳ２５）、予め設定された時刻、例えば、毎月２５日になるなど、一定期間が経過すると、通信事業者５の通話ログ管理サーバ５１に通話ログ情報を要求する（図７のステップＳ４１）。すると、これに応じて通話ログ管理サーバ５１は携帯電話１の通話ログ情報を通話モード管理サーバ２に送信する（図７のステップＳ４２）。これにより、通話モード管理サーバ５１は通話ログ情報を取得する（図６のステップＳ２６、通話ログ情報取得工程）。
【００７３】
続いて、通話モード管理サーバ２は、通話モードのログ情報を参照して、通話モード毎に取得した通話ログ情報を振り分ける（図７のステップＳ４３、図６のステップＳ２７、通話ログ振り分け工程）。そして、特に、「私用」モードに振り分けられた通話ログに基づいて、その通話料を算出する（図７のステップＳ４４、図６のステップＳ２８）。その後、算出した通話料を決済するよう、ユーザ名と通話ログ情報、通話料情報などを決済サーバ４に通知し、決済指示を発する（図７のステップＳ４５、図６のステップＳ２９）。これを受けた決済サーバ４が、ユーザ毎に登録された口座番号やクレジット番号などに基づいて、電子決済を行う（図７のステップＳ４６）。
【００７４】
このようにすることにより、ユーザは、一台の携帯電話１においてその利用目的に応じて通話モードを変更するで、通話料の課金先を変更することができるため、ユーザの利便性の向上を図ると共に、携帯端末の通話料に関して公私混同を防止でき、適切に課金を行うことができる。特に、企業が従業員に携帯電話１を貸与している場合には、「業務用」利用時の通話料は企業に、「私用」利用時の通話料は従業員に、それぞれ課金されることとなるため、双方にとって適切な通話料の課金を実現することができ、逆に、従業員や企業における不適切な通話料の負担の抑制を図ることができる。
【００７５】
＜変形例１＞
ここで、上記では、通話モード管理サーバ２のモードログ記録処理部２２では、図４（ａ）に示すように、携帯電話１毎の通話モードのログ情報のみを記録する場合を例示したが、通話モードのログ情報に記録される情報は上記情報に限定されない。例えば、認証サーバ３から携帯端末１を利用しているユーザを特定する識別情報を受信し、かかる識別情報を通話モードのログ情報に関連付けて記録してもよい。すなわち、一台の携帯電話の通話モードのログ情報は、それぞれ各モードにて使用しているユーザの識別情報を関連付けて記録することで、ユーザ毎の利用状況を管理することができる。
【００７６】
そして、上記通話モードのログ情報と、通話ログとをつけ合わせることで、ユーザ毎に通話ログを振り分けることができ、それぞれのユーザに対して通話料を請求することも可能である。
【００７７】
＜変形例２＞
【００７８】
また、上記では、携帯電話１の通話モードを変更した後に、初期通話モードに戻す操作をユーザが自発的に行う場合を例示したが、これに限定されない。例えば、携帯電話１に予め設定されたタイミングで、自動的に通話モードを初期通話モードに戻すよう通話モード解除指令情報を送信する機能を設けてもよい。その通話モード解除指令情報を送信するタイミングとは、例えば、携帯電話１にて通話が終了する毎や、予め設定した時間が経過する毎、などである。これにより、通話モードをあるモードに変更設定した後に、初期状態に戻し忘れることを抑制することができる。例えば、「私用」目的で通話する前に、「私用」に通話モードを変更したもの、通話後に通話モードを「業務用」に戻すことなく「業務用」目的で通話してしまうと、個人に業務時の通話料が課金されてしまうという不都合が生じうる。しかし、通話後に自動的に初期通話モードである「業務用」に通話モードを戻す指示を通話モード管理サーバ２に行うよう携帯電話１を設定しておくことで、上記不都合を抑制することができる。
【００７９】
そして、通話モードを初期通話モードに変更してログ情報に記録する動作は、通話モード記録サーバ２にて自動的に行われてもよい。例えば、モードログ記憶処理部２２が、予め設定された時間間隔で通話モードを初期通話モードに変更して通話モードのログ情報に記憶する機能を有する、よう構成してもよい。
【００８０】
＜変形例３＞
さらに、上述した携帯電話１に、現在のモードを表示する機能を備えてもよい。例えば、携帯電話１に、当該携帯電話１から通話モード管理サーバ２に通話モード指定情報を送信する際に当該通話モード指定情報にて指定される通話モードを認識し、かかる通話モードを表す表示を現在の通話モードとして携帯電話１のディスプレイに表示する機能を設けてもよい。なお、かかる機能は、通話モード管理サーバ２に対して携帯電話１の現在の通話モードの通知を要求し、これに対する応答を受けて、応答内容に基づいて通話モードを表示するよう作動してもよい。これにより、ユーザはディスプレイを見ることで容易に通話モードを認識することができるため、通話を行う前に現在の通話モードを確認することができ、必要であればモード変更を行うことで、適切に通話料の課金先を切り替えることができる。
【００８１】
＜変形例４＞
また、携帯電話１にて、ある通話先に対して発信する際に、現在の通話モードが過去に同一箇所に発信したときの通話モードと異なっている場合に、その旨をユーザに通知するようアラートを出す、という機能を携帯電話１に備えてもよい。このためには、まず、携帯電話１に、過去の通話先（電話番号など）のログを当該過去の発信時における通話モードを表す情報と共に携帯電話１内部に記憶する機能を設ける。なお、通話時の通話モードの認識は上述同様に通話ログ指定情報などを調べてこととする。また、携帯電話１に、発信時に携帯電話１に記憶された過去の通話先ログを検索して、現在の発信先と同一の発信先が存在する場合には、その時の通話モードと現在の通話モードとを照会する機能を設け、さらに、通話モードが異なっている場合には、携帯電話１のディスプレイにアラートを出す機能を設ける。例えば、特定の発信先に、以前は業務用モード時に発信したが、今回は私用モードである場合には、携帯電話１のディスプレイに、「過去に業務用モードで発信しているが、私用モードでよろしいですか？」という内容のアラート表示を行う機能を設ける。これにより、ユーザが異なった通話モードにて発信することを抑制することができ、適切な課金先への通話料の振り分けを実現することができる。
【００８２】
なお、上記携帯電話１による過去の通話モードの認識は、通話モード管理サーバ２及び通話ログ管理サーバ５１を介して行われてもよい。例えば、携帯電話１から新たな発信があると、当該新たな発信先を認識した通話ログ管理サーバ５１が通話モード管理サーバ２に問い合わせ、これらが共働して通話ログと通話モードログとをつきあわせて同一発信先に対する過去の通話時の通話モードを調べる。そして、新たな発信における通話モードが過去のものと異なっていると判断されると、通話ログ管理サーバ５１あるいは通話モード管理サーバ２から、携帯電話に対してアラートが通知され、ユーザはこれを認識することができる。
【実施例２】
【００８３】
次に、本発明の第２の実施例を、図８乃至図９を参照して説明する。図８は、本実施例における携帯電話の構成を示す機能ブロック図である。図９は、本実施例における通話モード管理サーバの構成を示す機能ブロック図である。本実施例における通話モード管理システムは、上述した実施例１のものとほぼ同様の構成であるが、認証サーバ４が備わっていない点で異なる。以下、携帯電話１１０と通話モード管理サーバ１２０との構成について詳述する。
【００８４】
＜構成＞
本実施例における携帯電話１１０は、上述した実施例１における携帯電話１とほぼ同様の構成を採っており、そのＣＰＵ（１１０Ａ）には、予め定められた特定のプログラムが組み込まれることで、モード変更画面制御部１１１と、モード指定送信部１１２と、解除指令部１１３と、が構築されている。但し、これら各処理部１１１〜１１３による処理内容は、以下のように実施例１のものとは異なる。
【００８５】
まず、モード変更画面制御部１１１は、予め携帯電話１１０のメモリ（１１０Ｂ）に形成されたモード変更データ記憶部１１４に記憶されたモード変更画面データを読み出して、携帯電話１１０のディスプレイに表示する機能を有する。この表示されたモード変更画面では、ユーザが携帯電話１１０を操作することで、「業務用」、「私用」などの通話モードを選択して、モード変更指示を発することが可能である。従って、モード変更画面制御部１１１は、画面を表示すると共に、当該画面に対するユーザによる特定のモードの選択入力を受け付け、当該選択された通話モードをモード指定送信部１１２に通知する。
【００８６】
そして、モード指定送信部１１２では、モード変更データ記憶部１１４からアクセスする通話モード管理サーバ１２０へのアドレスデータを読み出すと共に、ユーザＩＤ記憶部１１６に予め記憶された携帯電話１１０を所有するユーザ固有の識別情報を読み出し、当該識別情報と通話モード指定情報とを、通話モード管理サーバ１２０に送信する。
【００８７】
また、解除指令部１１３では、ユーザによる操作指示に基づいて、あるいは、通話後や一定の時間が経過した後に自動的に、モード指定送信部１１２に対して通話モードを初期通話モードに戻す指令を発するよう指示する。これに応じて、モード指定送信部１１２は、通話モード解除指定情報を通話モード管理サーバ１２０に送信する。なお、この処理は実施例１のものと同様である。
【００８８】
また、本実施例における通話モード管理サーバ１２０は、図９に示すように、実施例１のものとほぼ同様の構成を採っている。すなわち、通話モード管理サーバ１２０のＣＰＵ（１２０Ａ）には、所定のプログラムが組み込まれることにより、モード指定受信部１２１、モードログ記録処理部１２２、通話ログ集計部１２３、通話料算出部１２４などが構築されており、また、メモリ（１２０Ｂ）には、通話モードログ記憶部１２６、課金データ記録部１２７が形成されている。
【００８９】
但し、本実施例におけるモード指定受信部１２１は、携帯電話１１０からのアクセスに対してユーザ認証処理を行う機能を備えている。このため、メモリ１２０Ｂには、予めユーザ登録した携帯電話１１０のユーザの識別情報を記憶した登録ユーザ記憶部１２５が形成されている。
【００９０】
＜動作＞
上記構成の通話モード管理システムでは、以下のように作動する。まず、ユーザが携帯電話１１０にて通話モードを変更する場合には、所定の操作を行うことで携帯電話１１０のディスプレイ上にモード変更画面が表示される。そして、ユーザは、かかる画面上で変更後の通話モードを選択し送信を指示する操作を行うことで、携帯電話１１０から識別情報と通話モード指定情報とが通話モード管理サーバ１２０に送信される。
【００９１】
これを受けた通話モード管理サーバ１２０は、ユーザ認証を行った後に、通話モードの変更指示に従って通話モードの変更をログ情報に記憶する。このように、上述した実施例１と同様に、通話モードの変更及びログ情報への記録を行うことができる。そして、その後、通話ログを通話モードのログ情報に基づいて通話モード毎に振り分けることで、上記実施例と同様にユーザの意思で会社や個人など通話料の課金先を変更することができ、双方にとって適切な通話料の課金を実現することができる。
【００９２】
＜変形例＞
また、上記では、携帯電話１から送信する通話モードを指定する通話モード指定情報は、ユーザがモード変更画面上にて操作することにより、いずれかのモードを選択して送信する場合を例示したが、かかる構成に限定されない。例えば、予め社員証などに「業務用」、「私用」（その他のモードも含む）といった各モード毎のＱＲコードを印刷しておき、これを携帯電話１のカメラにて撮影する。そして、撮影したＱＲコードの画像データを通話モード指定情報として通話モード管理サーバ１２０に送信することで、当該通話モード管理サーバ１２０ではかかるＱＲコードからユーザが指定する通話モードを認識し、これに応じて通話モードのログ情報を記録する、という構成にしてもよい。
【００９３】
このとき、上記ＱＲコードに、各ユーザを特定する識別情報を含め、これに対応して、通話モード管理サーバ１２０がＱＲコードからユーザ認証を行う、という構成にしてもよい。但し、上述したＱＲコードを用いた認証は、実施例１に開示したように、他のサーバコンピュータ（認証サーバ３）にて行ってもよい。
【実施例３】
【００９４】
次に、本発明の第３の実施例を、図１０乃至図１１を参照して説明する。図１０は、本実施例における携帯電話の構成を示す機能ブロック図である。図１１は、本実施例における通話モード管理サーバの構成を示す機能ブロック図である。本実施例における通話モード管理システムは、上述した実施例２のものとほぼ同様の構成であるが、以下の点で異なる。以下、携帯電話２１０と通話モード管理サーバ２２０との構成について詳述する。
【００９５】
＜構成＞
図１０に示すように、本実施例における携帯電話２１０のＣＰＵ（２１０Ａ）には、予め定められた特定のプログラムが組み込まれることで、モード変更画面制御部２１１と、モード指定送信部２１２と、解除指令部２１３と、が構築されている。また、メモリ２１０Ｂには、モード変更データ記憶部２１５と、ユーザＩＤ記憶部２１６とが形成されており、上記実施例２のものとほぼ同様の構成を採っている。
【００９６】
但し、本実施例における携帯電話２１０は、ＧＰＳアンテナ２１０Ｃを備えている点で異なる。そして、携帯電話２１０のＣＰＵ（２１０Ａ）には、ＧＰＳアンテナ２１０Ｃを用いて衛星から携帯電話２１０の現在位置を表す位置情報を取得する位置情報取得部２１４が構築されている。また、上記モード指定送信部２１２は、通話モード管理サーバ２２０にアクセスすると、識別情報と共に、位置情報取得部２１４にて取得した位置情報を通話モード指定情報として通話モード管理サーバ２２０に送信する機能を有する。例えば、モード変更画面に「適正モード選択ボタン」が表示されており、これを選択することで、現在位置を表す位置情報が通話モード管理サーバ２２０に送信される。
【００９７】
また、本実施例における通話モード管理サーバ２２０は、図１１に示すように、実施例２のものとほぼ同様の構成を採っている。すなわち、通話モード管理サーバ１２０のＣＰＵ（１２０Ａ）には、所定のプログラムが組み込まれることにより、モード指定受信部２２１、モードログ記録処理部２２２、通話ログ集計部２２３、通話料算出部２２４などが構築されており、また、メモリ（１２０Ｂ）には、登録ユーザ記憶部２２５、通話モードログ記憶部２２７、課金データ記録部２２８が形成されている。
【００９８】
上記構成に加え、本実施例における通話モード管理サーバ２２０のメモリ（２２０Ｂ）には、さらに、携帯電話２１０の位置に応じて予め設定された通話モードを表す通話モード登録情報を記憶した位置対応通話モード記憶部２２６が形成されている。この通話モード登録情報とは、例えば、携帯電話２１０が会社内あるいは会社周囲に位置している場合には、当該位置に対応する通話モードとして「業務用」が予め設定されており、それ以外の位置に対応する通話モードとして「私用」が予め設定されている情報である。
【００９９】
そして、上記モード指定受信部２２は、携帯電話２１０から識別情報と共に位置情報を受信して、識別情報からはユーザ認証を行い、認証が成功したものに対しては位置情報をモードログ記録処理部２２２に通知する。そして、モードログ記録処理部２２２は、携帯電話２１０から受信した位置情報に対応する通話モードを、メモリ（２２０Ｂ）に記憶されている通話モード登録情報に基づいて、携帯電話２１０の通話モードを特定する。例えば、位置情報が会社内あるいは会社周囲である場合には「業務用」と特定されて通話モードのログ情報に記憶され、それ以外の位置である場合には「私用」が特定されて通話モードのログ情報に記憶される。
【０１００】
＜動作＞
上記構成の通話モード管理システムでは、以下のように作動する。まず、ユーザが携帯電話２１０にて通話モードを変更する場合には、所定の操作を行うことで携帯電話２１０のディスプレイ上にモード変更画面を表示する。そして、ユーザは、かかる画面上で「適正モード選択ボタン」を選択することで、ユーザＩＤ記憶部２１６から携帯電話２１０のユーザの識別情報が読み出されると共に、位置情報取得部２１４からＧＰＳアンテナ２１０Ｃを用いて取得した位置情報が取得され、これらが通話モード管理サーバ２２０に送信される。
【０１０１】
これを受けた通話モード管理サーバ２２０は、ユーザ認証を行った後に、位置情報と記憶している通話モード登録情報とに基づいて、現在に携帯電話２１０の位置に対応する予め設定された通話モードが特定される。そして、かかる通話モードがログ情報に記憶される。
【０１０２】
このような構成にしても、上述した実施例１，２と同様に、通話モードの変更及びログ情報への記録を行うことができる。このとき、携帯電話２１０の位置に応じて適切な通話モードが設定されログ情報に記憶されるため、その後、通話ログ情報を通話モードのログ情報に基づいて通話モード毎に振り分けることで、上記実施例と同様にユーザの意思で会社や個人など通話料の課金先を変更することができ、双方にとって適切な通話料の課金を実現することができる。
【０１０３】
なお、上述した携帯電話２１０の位置情報は、ＧＰＳシステムを用いて取得することに限定されない。例えば、携帯電話２１０の基地局に対する在圏情報を、当該基地局などから取得し、かかる在圏情報を位置情報として用いてもよい。
【０１０４】
＜変形例＞
ここで、通話モードの自動設定は、携帯電話２１０の位置に基づいて設定されることに限定されない。例えば、勤務時間は「業務用」、それ以外は「私用」に通話モードを設定するよう会社などで予め設定されている場合には、時間帯に応じて通話モードを自動的に記録する構成にしてもよい。
【０１０５】
このため、例えば、携帯端末２１０のＣＰＵ（２１０Ａ）に、現在の時刻を表す時刻情報を検出する時刻情報検出部（時刻情報検出手段）（図示せず）を備えると共に、この検出した時刻情報をモード指定送信部２１２にて通話モード指定情報として通話モード管理サーバ２２０に送信するよう構成してもよい。そして、これに対応して、通話モード管理サーバ２２０に、当該各時刻に対応して予め設定された通話モードを表した通話モード登録情報を記憶しておく。そして、モードログ記録処理部２２２では、モード指定受信部２２１から時刻情報を受け取り、当該時刻に対応した通話モードを通話モード登録情報に基づいて特定し、この通話モードをログ情報に記録する。
【０１０６】
また、他の構成としては、携帯電話２１０からは単に現在の時刻に最適なモードに変更するよう要求する情報を通話モード管理サーバ２２０に送信するだけであって、当該通話モード管理サーバ２２０では、当該サーバ２２０内に組み込まれた時計機能から現在の時刻情報を取得し、当該時刻に基づいて予め設定された通話モードを特定し、ログ情報に記憶する、という構成にしてもよい。
【０１０７】
このようにすることにより、予め定められた基準（位置や時刻など）にて通話モードが特定され、そのログ情報が記憶されるため、その後、通話ログを通話モードのログに基づいて通話モード毎に振り分けられ、上記実施例と同様に適切な課金先に通話料の請求を行うことが可能となる。
【産業上の利用可能性】
【０１０８】
本発明である通話モード管理システムは、携帯電話を従業員に貸与する企業や、携帯電話の通信事業者が、携帯電話からアクセス可能なようネットワークシステム上に設置することで、通話モードのログ情報を管理し、通話ログを通話モード毎に振り分けて適切な課金を実現することができるため、産業上の利用可能性を有する。
【図面の簡単な説明】
【０１０９】
【図１】通話モード管理システム全体の構成を示す概略図である。
【図２】実施例１における携帯電話の構成を示す機能ブロック図である。
【図３】実施例１における通話モード管理サーバの構成を示す機能ブロック図である。
【図４】図４（ａ）は通話モードログ情報の一例を示す図であり、図４（ｂ）は通話ログ情報の一例を示す図である。
【図５】実施例１における携帯電話の動作を示すフローチャートである。
【図６】実施例１における通話モード管理サーバの動作を示すフローチャートである。
【図７】実施例１における通話モード管理システムの動作を示すシーケンス図である。
【図８】実施例２における携帯電話の構成を示す機能ブロック図である。
【図９】実施例２における通話モード管理サーバの構成を示す機能ブロック図である。
【図１０】実施例３における携帯電話の構成を示す機能ブロック図である。
【図１１】実施例３における通話モード管理サーバの構成を示す機能ブロック図である。
【符号の説明】
【０１１０】
１  携帯電話（携帯端末）
２  通話モード管理サーバ
３  認証サーバ（ユーザ認証手段、ユーザ認証機能）
４  決済サーバ
５  通信事業者
１２  認証依頼部（ユーザ認証依頼機能）
１４  モード指定送信部（通話モード指定情報送信機能）
１５  解除指令部（通話モード解除し選り機能）
２１  モード指定受付部（通話モード指定情報受信機能）
２２  モードログ記録処理部（通話モードログ記憶機能）
２３  通話ログ集計部（通話ログ振り分け機能）
２４  通話料算出部（通話料算出手段）
５１  通話ログ管理サーバ
２１４  位置情報取得部（位置情報検出手段）
１Ｃ  カメラ
２１０Ｃ  ＧＰＳアンテナ（位置情報検出手段）
Ｎ  ネットワーク
【図１】
2006025113.tif 000003
【図２】
2006025113.tif 000004
【図３】
2006025113.tif 000005
【図４】
2006025113.tif 000006
【図５】
2006025113.tif 000007
【図６】
2006025113.tif 000008
【図７】
2006025113.tif 000009
【図８】
2006025113.tif 000010
【図９】
2006025113.tif 000011
【図１０】
2006025113.tif 000012
【図１１】
2006025113.tif 000013